(57)【要約】【課題】配光特性に指向性を有する光源を使用しつつ照射対象領域における均斉度の向上を図る。【解決手段】反射板20の側壁201の内側面に、それぞれランプソケット44が取り付けられている。また、各ランプソケット44は給電線45が導出されており、各給電線45の先端に設けられるプラグコネクタ46が、点灯装置４のレセプタクルコネクタ41に接続される。すなわち、一対のランプソケット44にＬＥＤユニット１Ｂの両端の口金部19が各別に装着されると、各反射板20の内側にそれぞれＬＥＤユニット１Ｂが配置される。そして、点灯装置４から各ランプソケット44を介してＬＥＤユニット１Ｂに直流電力が供給されてＬＥＤ100が発光する。ただし、各ＬＥＤユニット１Ｂは、軸方向(左右方向)から見て放物線の焦点と重なり、且つ配光特性が最高光度となる向きを反射面200の方へ向けるようにしてランプソケット44に装着される。【選択図】        図１
2014116270.tif 000002
【特許請求の範囲】
【請求項１】
１乃至複数の光源と、前記光源の配光を制御する配光制御部材と、前記光源並びに前記配光制御部材を保持する器具本体とを備え、
前記光源は、直線状の軸の径方向に沿って光を放射し且つ前記軸の周方向における配光特性に指向性を有するものであり、
前記配光制御部材は、長手方向と直交する断面の形状が放物線又は放物線に類似した形状であり、且つ前記放物線の焦点が存在する側の表面が鏡面からなる反射面に形成されている反射板であって、
前記器具本体は、前記軸方向から見て前記焦点が前記光源と重なり、且つ前記配光特性が最高光度となる向きを前記反射面の方へ向けるようにして前記反射板及び前記光源を保持することを特徴とする照明器具。
【請求項２】
前記光源は、直管形のＬＥＤユニットであることを特徴とする請求項１記載の照明器具。
【請求項３】
前記光源は、直方体形状のＬＥＤユニットであることを特徴とする請求項１記載の照明器具。
【請求項４】
前記光源と前記配光制御部材の姿勢を一体的に可変とする姿勢可変手段を備えることを特徴とする請求項１〜３の何れか１項に記載の照明器具。
【発明の詳細な説明】
【技術分野】
【０００１】
本発明は、照明器具に関し、特に、壁面を照明するための照明器具に関する。
【背景技術】
【０００２】
従来例として、壁に設置された黒板や壁に掛けられた絵画などを照明するための照明器具(ウォールウォッシャーライトなどと呼ばれる。)を例示する(例えば、特許文献１参照)。
【０００３】
特許文献１記載の従来例は、直管形の蛍光ランプを光源とし、下面が開口した箱形の器具本体と、器具本体内における長手方向の両端に設けられた一対のランプソケットと、放物面形状の反射板とを備えている。ここで、ランプソケットに装着される蛍光ランプの中心が反射板の焦点に一致しており、壁に設置された黒板や壁に掛けられた絵画を効率的に照明することができる。
【０００４】
また、近年は蛍光ランプに代えて、多数の発光ダイオード(ＬＥＤ)を直線状に並べた線状の光源(直管形のＬＥＤランプや直線状のＬＥＤユニットなど)が普及してきている。例えば、特許文献２には、いわゆる直管形のＬＥＤランプが開示されている。このＬＥＤランプは、ＬＥＤモジュールと、放熱部材と、円筒形のケースと、口金部とを有している。ＬＥＤモジュールは、多数のＬＥＤが帯状の実装基板上に一列に並べて実装されてなる。放熱部材は、アルミなどの熱伝導度の高い材料で棒状に形成され、長手方向に沿った一面にＬＥＤモジュールの実装基板が取り付けられる。
【０００５】
ケースは、ガラスやポリカーボネート樹脂等の透光性を有する材料で長尺の円筒形に形成され、その内部にＬＥＤモジュール及び放熱部材を収納する。また、ケースの両端開口を塞ぐようにそれぞれ口金部が設けられる。片方の口金部には一対の電極(端子ピン)が突設され、これら一対の電極が、一方のランプソケットに設けられる一対の受金に各別に接続されることにより、点灯装置からＬＥＤモジュールに電力(直流電力)が供給される。もう片方の口金部には接地用の電極(接地ピン)が突設され、他方のランプソケットに設けられる受金に接続されることでＬＥＤモジュールが接地される。
【先行技術文献】
【特許文献】
【０００６】
【特許文献１】特開２０００−１６４００８号公報(段落０００２−０００３及び図５，図６参照)
【特許文献２】特開２０１２−２２１７６４号公報
【発明の概要】
【発明が解決しようとする課題】
【０００７】
ところで、特許文献２記載のＬＥＤランプは、ＬＥＤモジュールから放射される光の大半が前方に照射され、放熱部材が存在するケースの後方には、ケースの内壁面に反射する僅かな量しか放射されない。ここで、特許文献２記載の直管形のＬＥＤランプ(以下、ＬＥＤランプと略す。)は、日本電球工業会規格JEL801「Ｌ形ピン口金GX16t-5付直管形ＬＥＤランプシステム(一般照明用)」におけるＬＥＤランプに相当する。当該規格においては、「ランプの配光はランプ下方立体角１２０°の範囲に７０％を超えて光束を集中させないこと」と規定されている。
【０００８】
つまり、特許文献１記載の照明器具において、蛍光ランプをＬＥＤランプに置き換える際、ＬＥＤランプの光束が集中する側の面(前面)を器具本体の開口側に向けた場合、およそ７０％の光束については反射板で制御することができない。すなわち、ＬＥＤランプを使用した照明器具から照射される光の配光は、蛍光ランプを使用した照明器具から照射される光の配光と比べて、壁面(特に、黒板の表面や絵画の表面などの照射対象領域)における均斉度を大幅に低下させてしまう虞がある。
【０００９】
本発明は、上記課題に鑑みて為されたものであり、配光特性に指向性を有する光源を使用しつつ照射対象領域における均斉度の向上を図ることを目的とする。
【課題を解決するための手段】
【００１０】
本発明の照明器具は、１乃至複数の光源と、前記光源の配光を制御する配光制御部材と、前記光源並びに前記配光制御部材を保持する器具本体とを備え、前記光源は、直線状の軸の径方向に沿って光を放射し且つ前記軸の周方向における配光特性に指向性を有するものであり、前記配光制御部材は、長手方向と直交する断面の形状が放物線又は放物線に類似した形状であり、且つ前記放物線の焦点が存在する側の表面が鏡面からなる反射面に形成されている反射板であって、前記器具本体は、前記軸方向から見て前記焦点が前記光源と重なり、且つ前記配光特性が最高光度となる向きを前記反射面の方へ向けるようにして前記反射板及び前記光源を保持することを特徴とする。
【００１１】
この照明器具において、前記光源は、直管形のＬＥＤユニットであることが好ましい。
【００１２】
この照明器具において、前記光源は、直方体形状のＬＥＤユニットであることが好ましい。
【００１３】
この照明器具において、前記光源と前記配光制御部材の姿勢を一体的に可変とする姿勢可変手段を備えることが好ましい。
【発明の効果】
【００１４】
本発明の照明器具は、光源から放射される光束の大半を反射板で配光制御できるので、配光特性に指向性を有する光源を使用しつつ照射対象領域における均斉度の向上を図ることができるという効果がある。
【図面の簡単な説明】
【００１５】
【図１】(ａ)は本発明に係る照明器具の実施形態の光源及び反射板の断面図、(ｂ)は比較例の光源及び反射板の断面図、(ｃ)は蛍光ランプを用いた従来例の断面図である。
【図２】(ａ)は実施形態の配光特性図、(ｂ)は比較例の配光特性図、(ｃ)は従来例の配光特性図である。
【図３】(ａ)〜(ｃ)は同上における光源の断面図である。
【図４】同上における光源の配光特性図である。
【図５】同上の分解斜視図である。
【図６】同上の断面図である。
【図７】同上の斜視図である。
【図８】同上の使用状態の説明図である。
【図９】(ａ)は実施形態の照度分布図、(ｂ)は比較例の照度分布図、(ｃ)は従来例の照度分布図である。
【図１０】本発明に係る照明器具の別の実施形態を示す分解斜視図である。
【図１１】同上の断面図である。
【図１２】同上の設置状体の斜視図である。
【図１３】本発明に係る照明器具のさらに別の実施形態を示す分解斜視図である。
【図１４】同上を示し、(ａ)は平面図、(ｂ)は側面図である。
【図１５】同上の斜視図である。
【発明を実施するための形態】
【００１６】
以下、本発明に係る照明器具の実施形態について、図面を参照して詳細に説明する。
【００１７】
本実施形態における光源１として利用可能な３種類のＬＥＤユニット１Ａ，１Ｂ，１Ｃの断面図を図３(ａ)〜(ｃ)に示す。
【００１８】
図３(ａ)に示すＬＥＤユニット１Ａは、ＬＥＤモジュール10と、放熱部材11と、ケース12と、口金部(図示せず)とを有している。ＬＥＤモジュール10は、多数のＬＥＤ(ＬＥＤチップ)100が帯状の実装基板101上に一列に並べて実装されてなる。放熱部材11は、アルミなどの熱伝導度の高い材料で半円柱状に形成され、長手方向に沿った一面(平坦な面)にＬＥＤモジュール10の実装基板101が取り付けられる。ケース12は、ガラスやポリカーボネート樹脂等の透光性を有する材料で長尺の半円筒形に形成され、その内部にＬＥＤモジュール10を収納するようにして放熱部材11の平坦面に接合される。また、ケース12の両端開口を塞ぐようにそれぞれ口金部が設けられる。
【００１９】
このＬＥＤユニット１Ａの場合、ＬＥＤ100から放射される光は、大半がケース12を通過して前方に照射され、一部がケース12の内壁面に反射した後にケース12を通過して斜め後方に照射される(図３(ａ)における矢印付きの実線参照)。
【００２０】
また、図３(ｂ)に示すＬＥＤユニット１Ｂは、ＬＥＤモジュール10と、放熱部材13と、ケース14と、口金部19とを有している。ＬＥＤモジュール10は、多数のＬＥＤ100がセラミックス製の実装基板101上に一列に並べて実装されてなる。放熱部材13は、アルミなどの熱伝導度の高い材料で断面凸形状の長尺の略棒状に形成されている。なお、放熱部材13は、鋼板などの金属材料で長尺の樋状に形成される保持部材130に保持されている。さらに、この保持部材130の一部が、ＬＥＤ100から放射される光の配光を制御する反射板にも兼用されている。ケース14は、ガラスやポリカーボネート樹脂等の透光性を有する材料で長尺の円筒形に形成され、その内部にＬＥＤモジュール10及び放熱部材13を収納する。また、ケース14の両端開口を塞ぐようにそれぞれ口金部19が設けられる(図５参照)。
【００２１】
このＬＥＤユニット１Ｂの場合、ＬＥＤ100から放射される光は、大半がケース14を通過して前方に照射される点はＬＥＤユニット１Ａと共通である。ただし、ＬＥＤ100から放射される光の一部がケース14の内壁面に反射した後に放熱部材13に反射し、ケース14を通過して後方にも照射される(図３(ｂ)における矢印付きの実線参照)。図４における実線は、ＬＥＤユニット１Ｂの長手方向に直交する方向(直線状の軸の径方向)の配光特性を示し、図４における破線は、ＬＥＤユニット１Ｂの長手方向の配光特性を示している。
【００２２】
さらに、図３(ｃ)に示すＬＥＤユニット１Ｃは、ＬＥＤモジュール10と、反射板15と、放熱部材16と、パネル17と、取付板18とを有している。ＬＥＤモジュール10は、多数のＬＥＤ100がセラミックス製の実装基板101上に一列に並べて実装されてなる。反射板15は、合成樹脂材料により、長尺の板状に形成されている。放熱部材16は、アルミなどの熱伝導度の高い材料で長尺の角樋状に形成され、外側の底面に反射板15を介してＬＥＤモジュール10が取り付けられる。パネル17は、ポリカーボネート樹脂等の透光性を有する材料で一面が開口した長尺の矩形箱状に形成される。取付板18は、金属板によって帯状に形成され、放熱部材16の内側に収まるようにして放熱部材16と結合されている。そして、パネル17内にＬＥＤモジュール10及び反射板15、放熱部材16、取付板18が収納されることでＬＥＤユニット１Ｃが組み立てられる。なお、このＬＥＤユニット１Ｃは、口金部の代わりにコネクタ付きのリード線(図示せず)を介して給電される。
【００２３】
このＬＥＤユニット１Ｃの場合、ＬＥＤ100から放射される光は、大半がパネル17を通過して前方に照射され、一部がパネル17の内部を進行して斜め後方に照射される。なお、何れのＬＥＤユニット１Ａ，１Ｂ，１Ｃにおいても、実装基板101はセラミックス製に限定されない。
【００２４】
ＬＥＤユニット１Ｂを光源とする照明器具の実施形態を図５〜図７に示す。この照明器具Ａ１は、２本の光源(ＬＥＤユニット１Ｂ)と、反射板ブロック２と、器具本体３と、点灯装置４とを備える。ただし、以下の説明では、図５において前後左右上下の各方向を規定する。
【００２５】
器具本体３は、下面が開口した金属製の箱体からなり、左右方向を長手方向とする矩形の底板30と、底板30の長手方向の両端から下方に垂下される一対の側板31と、底板30の短手方向(前後方向)の両端から下方に垂下される前板32及び後板33とを有する。なお、前板32の縦寸法(上下方向の寸法)及び側板31の前端の縦寸法が、後板33の縦寸法及び側板31の後端の縦寸法よりも短くなっている。
【００２６】
底板30の下面側に、２つの点灯装置４が前後方向に並べて取り付けられている。これらの点灯装置４は、商用交流電源から供給される交流電力を直流電力に変換する電力変換回路などが金属製のケースに収納されて構成されている。各点灯装置４の左端部から導出される出力線40にそれぞれレセプタクルコネクタ41が設けられている。また、各点灯装置４の右端部から導出される電源線42が別々の電源端子台43に各別に接続される。これら２つの電源端子台43は底板30の下面側に取り付けられ、底板30を貫通する挿通孔300に挿通された屋内配線用の電灯線Ｘと接続される。なお、器具本体３は、天井Ｓから下向きに突出する２本の吊りボルトＹとナットＺによりねじ止めされる。
【００２７】
反射板ブロック２は、前後方向に並ぶ一対の反射板20と、前方の反射板20の前端及び後方の反射板20の後端にそれぞれ設けられる一対の軸受け部21と、各軸受け部21に挿通される軸体22とを有する。
【００２８】
各反射板20は、左右方向を長手方向とし、下面が開口し且つ長手方向の両端が側壁201で閉塞された箱状に形成されており、側壁201を含む内側の面が鏡面からなる反射面200に形成されている。また、反射板20の長手方向(左右方向)と直交する断面の形状が放物線(又は放物線に類似した形状)とされている。さらに、２つの反射板20は、長手方向に沿った一端側で連結されて一体に形成されている。なお、各反射板20の前端側の軸受け部21に、鋸歯状のバッファ23がそれぞれ取り付けられる。これらのバッファ23は、黒色に塗装された金属板からなり、ＬＥＤユニット１Ｂから放射される直接光により、壁面などの照射対象領域に生じる光むらを抑制している。
【００２９】
各反射板20の側壁201の内側面に、それぞれランプソケット44が取り付けられている。また、各ランプソケット44は給電線45が導出されており、各給電線45の先端に設けられるプラグコネクタ46が、点灯装置４のレセプタクルコネクタ41に接続される。すなわち、一対のランプソケット44にＬＥＤユニット１Ｂの両端の口金部19が各別に装着されると、各反射板20の内側にそれぞれＬＥＤユニット１Ｂが配置される。そして、点灯装置４から各ランプソケット44を介してＬＥＤユニット１Ｂに直流電力が供給されてＬＥＤ100が発光する。ただし、各ＬＥＤユニット１Ｂは、軸方向(左右方向)から見て放物線の焦点と重なり、且つ配光特性が最高光度となる向き(図４の実線における下向き)を反射面200の方へ向けるようにしてランプソケット44に装着される(図１(ａ)参照)。
【００３０】
軸受け部21は、左右方向を軸方向とする円筒形に形成され、その内部に２本の軸体22がそれぞれ挿通される。軸体22は、円柱状の金属棒からなり、軸受け部21から一端部を突出させ、且つ他端部から軸方向に直交する方向へ突設されたつまみ220を、軸受け部21に形成されている溝210から突出させている。なお、つまみ220を軸方向に動かすことにより、軸体22の先端部を軸受け部21の端部から進退させることができる。
【００３１】
一方、器具本体３の各側板31には、軸体22の先端が挿抜自在に挿入される挿入孔310が複数設けられている。具体的には、側板31の前端部には１つの挿入孔310が設けられ、側板31の後端部には４つの挿入孔310が上下方向に沿った円弧状に並べて設けられている(図６参照)。すなわち、各側板31の前端部の挿入孔310に、反射板ブロック２の前端側の軸体22の先端部をそれぞれ挿入し、各側板31の後端部の挿入孔310に、反射板ブロック２の後端側の軸体22の先端部をそれぞれ挿入することで、反射板ブロック２を器具本体３に保持できる。そして、反射板ブロック２の後端側の軸体22の先端部を挿入する挿入孔310を変えることにより、光源(ＬＥＤユニット１Ｂ)と反射ブロック２の姿勢(角度)を一体的に可変とできる。
【００３２】
図８は本実施形態の照明器具Ａ１が設置された空間の断面図である。この空間は、例えば、博物館又は美術館の展示室であって、壁Ｗに掛けられた展示物(例えば、絵画)Ｄを、天井Ｓに設置された照明器具Ａ１によって照明している。なお、符号Ｋは照明器具Ａ１を隠すためのたれ壁を示し、符号Ｇは上端がたれ壁Ｋに固定されたガラス板を示している。ただし、照明器具Ａ１が設置される空間は博物館又は美術館の展示室に限定されず、例えば、講義室や教室であってもよい。そして、講義室や教室に設置される場合、壁Ｗに設置された黒板を、天井Ｓに設置された照明器具Ａ１によって照明することになる。
【００３３】
次に、本実施形態の照明器具Ａ１の配光特性について、図１及び図２を参照して詳細に説明する。図１(ａ)は、本実施形態の照明器具Ａ１におけるＬＥＤユニット１Ｂと反射板20を示す断面図である。また、図１(ｂ)は、軸回りに１８０°回転させた状態のＬＥＤユニット１Ｂと反射板20を示す断面図である。さらに、図１(ｃ)は、ＬＥＤユニット１Ｂを直管形の蛍光ランプＦを置き換えた場合の断面図である。なお、図１(ａ)〜(ｃ)の各図において、矢印付きの実線はＬＥＤユニット１Ｂ又は蛍光ランプＦから放射される光の光路を示している。
【００３４】
一方、図２(ａ)は、本実施形態の照明器具Ａ１の配光特性であって、ＬＥＤユニット１Ｂの軸方向(器具本体３の長手方向)に対して垂直な方向における配光特性を実線で示し、ＬＥＤユニット１Ｂの軸方向と平行な方向における配光特性を破線で示している。また、図２(ｂ)は、図１(ｂ)に示した構成の配光特性であって、ＬＥＤユニット１Ｂの軸方向に対して垂直な方向における配光特性を実線で示し、ＬＥＤユニット１Ｂの軸方向と平行な方向における配光特性を破線で示している。さらに、図２(ｃ)は、図１(ｃ)に示した構成の配光特性であって、蛍光ランプＦの軸方向に対して垂直な方向における配光特性を実線で示し、蛍光ランプＦの軸方向と平行な方向における配光特性を破線で示している。
【００３５】
図２(ｂ)における実線の配光特性と図２(ｃ)における実線の配光特性を比較した場合、図２(ｂ)における実線の配光特性の方が光源(ＬＥＤユニット１Ｂ)の近傍における配光が相対的に広角となっている。しかしながら、上述のように壁Ｗに掛けられた展示物Ｄを照明する場合、できるだけ挟角の配光となることが好ましいので、図２(ｂ)における実線の配光特性よりも図２(ｃ)における実線の配光特性の方が好ましい。
【００３６】
一方、本実施形態の配光特性(図２(ａ)における実線の配光特性)は、図２(ｂ)及び図２(ｃ)における実線の配光特性の何れよりも挟角の配光となっている。つまり、図１(ｂ)に示した構成では、反射板20で配光制御可能な光束が、ＬＥＤユニット１Ｂから放射される光束の３割程度しかない。また、蛍光ランプＦの場合、軸の周方向における配光特性が無指向性であるため、図１(ｃ)に示した構成では、反射板20で配光制御可能な光束が、蛍光ランプＦから放射される光束の５〜６割程度である。
【００３７】
これに対して本実施形態では、ＬＥＤユニット１Ｂから放射される光束の７割以上を反射板20で配光制御できるので、上述したように３種類の構成のうちで最も挟角の配光特性を実現することができる。ここで、図１(ａ)〜(ｃ)に示した各照明器具を用いて壁面を照明した場合、それぞれの場合における壁面の照度分布は、図９に示すようになる。図９において、実線αが本実施形態の照明器具Ａ１の照度分布を示し、実線βが図１(ｂ)の構成の照度分布を示し、実線γが図１(ｃ)の構成の照度分布を示している。図９から明らかなように、３種類の構成のうち、本実施形態の照明器具Ａ１の照度分布の均斉度が最も高くなっている。
【００３８】
ここで、本発明に係る照明器具は、上述した実施形態(照明器具Ａ１)のように天井Ｓに直付けされるものに限定されず、例えば、図１０〜図１２に示すように天井Ｓに埋込配設される照明器具Ａ２であってもよい。以下、埋込型の照明器具Ａ２について説明する。ただし、先に説明した照明器具Ａ１と機能が共通する部材については、形状が多少異なっていても同一の符号を付して適宜説明を省略する。
【００３９】
この照明器具Ａ２は、主に講義室や教室の壁に設置された黒板を照明する用途に使用されるものである。器具本体３は、下面が開口した直方体状の箱体からなり、底板30の下面側に点灯装置４や電源端子台42などが取り付けられている。また、器具本体３の開口端縁には、外向きに突出する外鍔部34が全周に渡って突設されている。この器具本体３は、天井Ｓに設けられた矩形の埋込孔Ｈ内に、外鍔部34よりも上の部分が挿入され、外鍔部34を天井Ｓに当接させた状態で吊りボルトＹにねじ止めして取り付けられる(図１２参照)。
【００４０】
反射板20は、長手方向と直交する断面の形状が放物線(又は放物線に類似した形状)とされ、長手方向に沿った前端に軸受け部21が設けられている。また、反射板20は、長手方向の両端部における後方の部位に、つまみねじ24が挿通される挿通孔25がそれぞれ貫通している(図１０参照)。なお、軸受け部21の長手方向の両端にそれぞれ軸体22が挿入されている。さらに、反射板20は、長手方向の両端において放物線の頂点に相当する位置にランプソケット44が設けられている。
【００４１】
一方、器具本体３の各側板31における前端部に、軸体22の先端が挿抜自在に挿入される挿入孔310が設けられている。また、器具本体３内には、弧状に湾曲した一対の固定板35が長手方向の両端部に配設されている。これらの固定板35には、複数(図示例では２つ)のねじ孔350が形成されている。すなわち、各側板31の挿入孔310に、反射板ブロック２の軸体22の先端部をそれぞれ挿入し、反射板20の２つの挿通孔25にそれぞれ挿通されるつまみねじ24を、固定板35のねじ孔350にねじ止めすることで、反射板ブロック２を器具本体３に保持できる。そして、つまみねじ24をねじ止めするねじ孔350を変えることにより、光源(ＬＥＤユニット１Ｂ)と反射ブロック２の姿勢(角度)を一体的に可変とできる(図１１参照)。
【００４２】
また、本発明に係る照明器具は、器具本体３の内部に反射板ブロック２が収納されるものに限定されず、例えば、図１３〜図１５に示すように器具本体３と反射板ブロック２が別体とされる照明具Ａ３であってもよい。以下、器具本体３と反射板ブロック２が別体とされた照明器具Ａ３について説明する。ただし、先に説明した照明器具Ａ１，Ａ２と機能が共通する部材については、形状が多少異なっていても同一の符号を付して適宜説明を省略する。
【００４３】
この照明器具Ａ３は、主に講義室や教室の壁に設置された黒板を照明する用途に使用されるものである。器具本体３は、下面が開口した直方体状の箱体からなるケース36と、角樋状に形成されてケース36の開口面を塞ぐカバー37とで構成される。ケース36の内底面に点灯装置４や電源端子台43などが取り付けられている。この器具本体３は、天井Ｓから下向きに突出する２本の吊りボルトＹとナットＺによりねじ止めされる。
【００４４】
反射板ブロック２(反射板20)は、長手方向と直交する断面の形状が放物線(又は放物線に類似した形状)とされ、長手方向両端の側壁201にねじ孔202がそれぞれ設けられている。この反射板20は、器具本体３に設けられた一対の支持部38によって支持される。
【００４５】
支持部38は、先端が半円弧形の板状に形成され、ケース36の長手方向の両端からほぼ水平に且つ前方へ突出している。また、支持部38の先端部分には、つまみねじ39が挿通される挿通孔380が厚み方向に貫通している。
【００４６】
而して、一対の支持部38の間に反射板ブロック２を配置し、支持部38の挿通孔380に挿通したつまみねじ39を側壁201のねじ孔202に締め込むことにより、器具本体３に対して所望の角度に傾けた状態で反射板ブロック２を支持部38に支持させることができる。
【００４７】
ところで、上述した３種類の照明器具Ａ１，Ａ２，Ａ３は、直管形の蛍光ランプＦを光源とする従来の照明器具と、点灯装置(安定器)及びソケット以外の構造が共通である。したがって、本実施形態の照明器具Ａ１，Ａ２，Ａ３は、蛍光ランプ用の照明器具と一部の部材(器具本体や反射板など)を流用することができるので、製造コストの削減を図ることができる。さらに、既設の蛍光ランプ用の照明器具から点灯装置とランプソケットを交換すれば、本実施形態の照明器具Ａ１，Ａ２，Ａ３を実現することができる。故に、既設の照明器具の部材を廃棄せずに流用することにより、省資源及び環境負荷の低減を図ることができる。
【符号の説明】
【００４８】
１Ｂ  ＬＥＤユニット(光源)
３  器具本体
20  反射板(配光制御部材)
【図１】
2014116270.tif 000003
【図２】
2014116270.tif 000004
【図３】
2014116270.tif 000005
【図４】
2014116270.tif 000006
【図５】
2014116270.tif 000007
【図６】
2014116270.tif 000008
【図７】
2014116270.tif 000009
【図８】
2014116270.tif 000010
【図９】
2014116270.tif 000011
【図１０】
2014116270.tif 000012
【図１１】
2014116270.tif 000013
【図１２】
2014116270.tif 000014
【図１３】
2014116270.tif 000015
【図１４】
2014116270.tif 000016
【図１５】
2014116270.tif 000017